(57)【要約】【課題】手動で戸閉操作を行なうための戸閉押釦がオン故障しているときに、乗客が乗りかごに乗降する際に乗りかご扉に挟まれないようにすることを可能とするエレベータシステムを提供することである。【解決手段】エレベータシステム１０において、着床した際に乗りかご扉６を一旦開いた後、所定の時間が経過してから自動的に乗りかご扉６を閉じる自動戸開閉部と、乗りかご扉６が開いているときに押されると、自動戸開閉部による閉動作とは別に乗りかご扉の閉動作を促進させる手動戸閉押釦部と、手動戸閉押釦部がオン故障しているか否かを判断する故障判断部と、手動戸閉押釦部がオン故障しているときに、乗客４が乗りかご扉６に挟まれないように乗りかご扉６の閉動作を促進させる機能を変更する設定変更部と、を備える。【選択図】図１
2011184145.tif 000002
【特許請求の範囲】
【請求項１】
着床した際に乗りかご扉を一旦開いた後、所定の時間が経過してから自動的に乗りかご扉を閉じる自動戸開閉部と、
乗りかご扉が開いているときに押されると、自動戸開閉部による閉動作とは別に乗りかご扉の閉動作を促進させる手動戸閉押釦部と、
手動戸閉押釦部がオン故障しているか否かを判断する故障判断部と、
手動戸閉押釦部がオン故障しているときに、乗客が乗りかご扉に挟まれないように乗りかご扉の閉動作を促進させる機能を変更する設定変更部と、
を備えることを特徴とするエレベータシステム。
【請求項２】
請求項１に記載のエレベータシステムにおいて、
設定変更部は、
手動戸閉押釦部がオン故障しているときに、乗りかご扉の閉動作を促進させる機能を無効とする無効処理部であることを特徴とするエレベータシステム。
【請求項３】
請求項２に記載のエレベータシステムにおいて、
乗りかご扉の閉動作を促進させる機能を無効にした後、手動戸閉押釦部がオン故障から復旧しているか否かを判断する復旧判断部と、
手動戸閉押釦部がオン故障から復旧しているときに、乗りかご扉の閉動作を促進させる機能の無効を解除する無効解除処理部と、
を備えることを特徴とするエレベータシステム。
【請求項４】
請求項２または請求項３に記載のエレベータシステムにおいて、
無効処理部によって、乗りかご扉の閉動作を促進させる機能を無効としたことを監視センタに通知するための情報を送信する無効設定情報送信部を備えることを特徴とするエレベータシステム。
【請求項５】
請求項３または請求項４に記載のエレベータシステムにおいて、
無効解除処理部によって、乗りかご扉の閉動作を促進させる機能の無効を解除したことを監視センタに通知するための情報を送信する無効解除情報送信部を備えることを特徴とするエレベータシステム。
【請求項６】
請求項１に記載のエレベータシステムにおいて、
設定変更部は、
手動戸閉押釦部がオン故障しているときに、乗りかご扉の閉動作を促進させる機能において乗りかご扉の閉動作の速度を抑制させる速度抑制処理部であることを特徴とするエレベータシステム。
【請求項７】
請求項６に記載のエレベータシステムにおいて、
乗りかご扉の閉動作の速度を抑制させた後、手動戸閉押釦部がオン故障から復旧しているか否かを判断する復旧判断部と、
手動戸閉押釦部がオン故障から復旧しているときに、乗りかご扉の閉動作の速度の抑制を解除する速度抑制解除処理部と、
を備えることを特徴とするエレベータシステム。
【請求項８】
請求項６または請求項７に記載のエレベータシステムにおいて、
速度抑制処理部によって、乗りかご扉の閉動作の速度を抑制させたことを監視センタに通知するための情報を送信する速度抑制情報送信部を備えることを特徴とするエレベータシステム。
【請求項９】
請求項７または請求項８に記載のエレベータシステムにおいて、
速度抑制解除処理部によって、乗りかご扉の閉動作の速度の抑制を解除したことを監視センタに通知するための情報を送信する速度抑制解除情報送信部を備えることを特徴とするエレベータシステム。
【発明の詳細な説明】
【技術分野】
【０００１】
本発明は、エレベータシステムに係り、特に、着床した際に乗りかご扉を一旦開いた後、所定の時間が経過してから自動的に乗りかご扉を閉じる自動戸開閉制御機能を備えるエレベータシステムに関する。
【背景技術】
【０００２】
現在、商業施設等の様々な場所において、エレベータシステムが設置されている。エレベータシステムには、着床した際に乗りかご扉を一旦開いた後、所定の時間が経過してから自動的に乗りかご扉を閉じる自動戸開閉制御機能が設けられている。さらに、乗りかご扉が開いているときに押されると、自動戸開閉制御機能による閉動作とは別に乗りかご扉の閉動作を促進させるための押釦である戸閉押釦も併せて設けられており、乗客の手動による戸閉促進操作を可能としている。
【０００３】
本発明に関連する技術として、例えば、特許文献１には、エレベータの救出運転装置として、異常発生に応じてエレベータが停止したとき、エレベータ制御装置内の第１の記憶部に記憶される故障判別内容を消去することにより救出運転を可能とする構成が開示されている。そして、エレベータの異常発生時に、上記故障判別内容を上記第１の記憶部から読み出し第２の記憶部に記憶させる故障判別内容収集部と、上記故障判別内容から救出運転が可能か否かを分析する故障判別内容分析部を備える構成が開示されている。さらに、この故障判別内容分析部の分析結果に基づき、上記第１の記憶部に記憶した上記故障判別内容を消去して上記エレベータの救出運転を行なう救出運転信号を上記エレベータ制御装置に出力する故障判別内容消去部と、上記救出運転終了後に上記エレベータを休止させる休止信号を上記エレベータ制御装置に出力する休止信号出力部とを備える構成が開示されている。
【先行技術文献】
【特許文献】
【０００４】
【特許文献１】特開平９−１０００７７号公報
【発明の概要】
【発明が解決しようとする課題】
【０００５】
ところで、乗客が戸閉押釦を押すことで乗りかご扉の閉動作を行えると便利であるが、当該戸閉押釦が長年にわたって使用されると、押釦が押されっぱなしで元の位置に戻らない状態である、いわゆるオン故障となることがある。そして、このようなオン故障となった状態のままで乗りかごが行先階で着床すると、自動戸開閉制御機能によって乗りかご扉が一旦開いた場合にも、当該オン故障により、すぐに乗りかご扉の戸閉動作が促進されることとなる。このため、乗客が乗りかごに乗降する際に乗りかご扉に挟まれてしまう可能性がある。
【０００６】
本発明の目的は、手動で戸閉操作を行なうための戸閉押釦がオン故障しているときに、乗客が乗りかごに乗降する際に乗りかご扉に挟まれないようにすることを可能とするエレベータシステムを提供することである。
【課題を解決するための手段】
【０００７】
本発明に係るエレベータシステムは、着床した際に乗りかご扉を一旦開いた後、所定の時間が経過してから自動的に乗りかご扉を閉じる自動戸開閉部と、乗りかご扉が開いているときに押されると、自動戸開閉部による閉動作とは別に乗りかご扉の閉動作を促進させる手動戸閉押釦部と、手動戸閉押釦部がオン故障しているか否かを判断する故障判断部と、手動戸閉押釦部がオン故障しているときに、乗客が乗りかご扉に挟まれないように乗りかご扉の閉動作を促進させる機能を変更する設定変更部と、を備えることを特徴とする。
【０００８】
また、本発明に係るエレベータシステムにおいて、設定変更部は、手動戸閉押釦部がオン故障しているときに、乗りかご扉の閉動作を促進させる機能を無効とする無効処理部であることが好ましい。
【０００９】
また、本発明に係るエレベータシステムにおいて、乗りかご扉の閉動作を促進させる機能を無効にした後、手動戸閉押釦部がオン故障から復旧しているか否かを判断する復旧判断部と、手動戸閉押釦部がオン故障から復旧しているときに、乗りかご扉の閉動作を促進させる機能の無効を解除する無効解除処理部と、を備えることが好ましい。
【００１０】
また、本発明に係るエレベータシステムにおいて、無効処理部によって、乗りかご扉の閉動作を促進させる機能を無効としたことを監視センタに通知するための情報を送信する無効設定情報送信部を備えることが好ましい。
【００１１】
また、本発明に係るエレベータシステムにおいて、無効解除処理部によって、乗りかご扉の閉動作を促進させる機能の無効を解除したことを監視センタに通知するための情報を送信する無効解除情報送信部を備えることが好ましい。
【００１２】
また、本発明に係るエレベータシステムにおいて、設定変更部は、手動戸閉押釦部がオン故障しているときに、乗りかご扉の閉動作を促進させる機能において乗りかご扉の閉動作の速度を抑制させる速度抑制処理部であることが好ましい。
【００１３】
また、本発明に係るエレベータシステムにおいて、乗りかご扉の閉動作の速度を抑制させた後、手動戸閉押釦部がオン故障から復旧しているか否かを判断する復旧判断部と、手動戸閉押釦部がオン故障から復旧しているときに、乗りかご扉の閉動作の速度の抑制を解除する速度抑制解除処理部と、を備えることが好ましい。
【００１４】
また、本発明に係るエレベータシステムにおいて、速度抑制処理部によって、乗りかご扉の閉動作の速度を抑制させたことを監視センタに通知するための情報を送信する速度抑制情報送信部を備えることが好ましい。
【００１５】
また、本発明に係るエレベータシステムにおいて、速度抑制解除処理部によって、乗りかご扉の閉動作の速度の抑制を解除したことを監視センタに通知するための情報を送信する速度抑制解除情報送信部を備えることが好ましい。
【発明の効果】
【００１６】
上記構成のエレベータシステムは故障判断部と設定変更部を備えているため、戸閉押釦がオン故障しているときであっても、乗客が乗りかごに乗降する際に乗りかご扉に挟まれないようにすることができる。
【図面の簡単な説明】
【００１７】
【図１】本発明に係る実施の形態の第１実施例であるエレベータシステムの構成を示す図である。
【図２】本発明に係る実施の形態の第１実施例であるエレベータシステムのエレベータ制御部の各構成図と、エレベータ制御部がネットワークを介して監視センタに接続されている様子を示す図である。
【図３】本発明に係る実施の形態の第１実施例であるエレベータシステムにおいて、戸閉押釦がオン故障した際に、乗客が乗りかごに乗降する際に乗りかご扉に挟まれないようにする手順を示すフローチャートである。
【図４】本発明に係る実施の形態の第２実施例であるエレベータシステムのエレベータ制御部の各構成図と、エレベータ制御部がネットワークを介して監視センタに接続されている様子を示す図である。
【図５】本発明に係る実施の形態の第２実施例であるエレベータシステムにおいて、戸閉押釦がオン故障した際に、乗客が乗りかごに乗降する際に乗りかご扉に挟まれないようにする手順を示すフローチャートである。
【発明を実施するための形態】
【００１８】
以下に、本発明に係る実施の形態について添付図面を参照しながら詳細に説明する。また、以下では、全ての図面において同様の要素には同一の符号を付し、重複する説明を省略する。また、本文中の説明においては、必要に応じそれ以前に述べた符号を用いるものとする。
【００１９】
図１は、本発明に係る実施の形態の第１実施例であるエレベータシステム１０の構成を示す図である。エレベータシステム１０は、巻上機１４を中心として、巻上機１４のシーブに巻き架けられた主ロープ７のうちの一方端には乗りかご２が取り付けられ、他方端にはカウンタウエイト１６が取り付けられている。そして、エレベータシステム１０のシステム全体の制御は、エレベータ制御部２２によって行われている。ここで、巻上機１４とエレベータ制御部２２とが昇降路９の上方に位置するいわゆる機械室２０に設置されている。
【００２０】
カウンタウエイト１６は、釣合い錘とも呼ばれ、いわゆるつるべ式エレベータシステムで用いられる錘である。カウンタウエイト１６は、全体の形状は扁平で縦に長く、非常に重い鉄の塊であり、主ロープ７の一方端に接続されている乗りかご２との間でバランスを取っている。
【００２１】
巻上機１４は、主ロープ７の折り返し中間地点に設置され、電動機（モータ）と、それに連結された滑車（シーブ）に掛かる摩擦力によって、乗りかご２とカウンタウエイト１６を昇降（上昇下降）させる機能を有する。この方法によって乗りかご２の昇降を行うと、主ロープ７の両端の重量バランスが良いので、比較的小さい力で主ロープ７に吊るされた乗りかご２を昇降させることができる。
【００２２】
乗りかご２は、昇降路９内を昇降し、行先階設定釦部８３によって設定された行先階まで乗客４を移動させるための箱型の構造物であって、乗りかご操作盤８と、乗りかご扉６とを含んで構成される。
【００２３】
乗りかご扉６は、乗りかご２が乗客４によって設定された行先階に着床したときに開閉する両開き、あるいは、片開き扉である。乗りかご扉６は、エレベータ制御部２２の自動戸開閉制御機能（後述するエレベータ制御部２２の自動戸開閉処理部による制御）によって開閉され、乗りかご２が着床した際に一旦開かれた後、所定の時間（例えば、１０秒）が経過してから自動的に閉じられる。この開閉動作により、乗客４がスムーズに乗りかご２に乗降することができる。
【００２４】
乗りかご操作盤８は、表示パネル８４と、行先階設定釦部８３と、開閉操作釦部８６と、を含んで構成される。表示パネル８４は、乗りかご２が移動しているときに、乗りかご２が現在位置している階床を表示する機能を有する。
【００２５】
行先階設定釦部８３は、乗客４が乗りかご２の行先階を設定するための押釦であり、１階設定押釦８３ａと、２階設定押釦８３ｂと、３階設定押釦８３ｃとを含んで構成される。
【００２６】
１階設定押釦８３ａは、乗りかご２の行先階を１階に設定するための押釦である。２階設定押釦８３ｂは、乗りかご２の行先階を２階に設定するための押釦である。３階設定押釦８３ｃは、乗りかご２の行先階を３階に設定するための押釦である。
【００２７】
開閉操作釦部８６は、エレベータ制御部２２の自動戸開閉制御機能とは別に、乗客４が手動で乗りかご扉６を開閉操作するための押釦であり、戸開押釦８６ａと、戸閉押釦８６ｂとを含んで構成される。
【００２８】
戸開押釦８６ａは、エレベータ制御部２２の自動戸開閉制御機能とは別に、乗りかご扉６を手動操作で開くための押釦であり、乗りかご２が着床している際に押されると、強制的に乗りかご扉６を開くようにエレベータ制御部２２に対して戸開信号を送信する機能を有する。戸開押釦８６ａは、乗客４が手で操作しやすい高さ位置に取り付けられている。
【００２９】
戸閉押釦８６ｂは、エレベータ制御部２２の自動戸開閉制御機能とは別に、乗りかご扉６を手動操作で閉じるための押釦であり、乗りかご２が着床している際に押されると、強制的に乗りかご扉６を閉じるようにエレベータ制御部２２に対して戸閉信号を送信する機能を有する。戸閉押釦８６ｂは、乗客４が手で操作しやすい高さ位置に取り付けられている。
【００３０】
エレベータ制御部２２は、エレベータシステム１０全般を制御する機能を有する。図２は、エレベータ制御部２２の各構成図と、エレベータ制御部２２がネットワーク２６を介して監視センタ２８に接続されている様子を示す図である。エレベータ制御部２２は、昇降処理部２２２と、自動戸開閉処理部２２４と、手動戸開閉処理部２２６と、故障判断処理部２２８と、無効処理部２３０と、復旧判断処理部２３２と、無効解除処理部２３４と、無効設定情報送信処理部２３６と、無効解除情報送信処理部２３８とを含んで構成される。ネットワーク２６は無線ネットワークであるものとして説明するが、もちろん有線ネットワークであってもよい。監視センタ２８はネットワーク２６を介して接続されているエレベータシステムの情報を集中管理しているセンタである。
【００３１】
昇降処理部２２２は、乗りかご２を行先階設定釦部８３によって設定された行先階に昇降させるように巻上機１４を制御する機能を有する。また、昇降処理部２２２は、図示しない乗場のかご呼釦によって呼びが登録されたときも、当該呼び登録された階床（行先階）まで乗りかご２を昇降させるように巻上機１４を制御する機能を有する。
【００３２】
自動戸開閉処理部２２４は、乗りかご２が行先階に着床したときに、乗りかご扉６を一旦開くように開作動制御し、その後所定の時間（例えば、１０秒）が経過してから自動的に乗りかご扉６を閉じるように閉作動制御をする機能（自動戸開閉制御機能）を有する。
【００３３】
手動戸開閉処理部２２６は、自動戸開閉処理部２２４の自動戸開閉制御機能とは別に、戸開押釦８６ａと戸閉押釦８６ｂからの信号に基づいて、乗りかご扉６の開閉作動制御を行う機能を有する。より具体的には、手動戸開閉処理部２２６は、乗りかご２が行先階に着床したときに、戸開押釦８６ａが押された場合に戸開押釦８６ａから送信される戸開信号を受信して、乗りかご扉６を開作動制御する手動戸開機能を有する。さらに、手動戸開閉処理部２２６は、乗りかご２が行先階に着床したときに、戸閉押釦８６ｂが押された場合に戸閉押釦８６ｂから送信される戸閉信号を受信して、乗りかご扉６を閉作動制御する手動戸閉機能を有する。
【００３４】
故障判断処理部２２８は、戸閉押釦８６ｂが押されたままの状態である、いわゆるオン故障であるか否かを判断する機能を有する。具体的には、故障判断処理部２２８は、予め定められた所定の故障判定時間（例えば、１０秒間）を超える時間押されたままの状態（オン状態）であるときに、オン故障であると判断する。このように判断できる理由としては、乗客４が手動で乗りかご扉６を閉じるために戸閉押釦８６ｂを押すときには、１秒未満程度のごく短い時間しか押釦を押していないことが通常だからである。したがって、故障判定時間は、乗客４が戸閉押釦８６ｂを押し続ける時間よりも十分に長い時間に設定することでオン故障を判定することができる。なお、オン故障が起こる原因の一つとして、長年にわたって戸閉押釦８６ｂを使用にすることにより、押釦を押した際にひっかかって戻らない状態となっていることが考えられる。
【００３５】
無効処理部２３０は、故障判断処理部２２８によって戸閉押釦８６ｂがオン故障であると判断されたときに、手動戸開閉処理部２２６の２つの機能のうち、手動戸閉機能を無効とする機能を有する。
【００３６】
復旧判断処理部２３２は、無効処理部２３０によって手動戸閉機能を無効にした後に、戸閉押釦８６ｂがオン故障から復旧しているか否かを判断する機能を有する。具体的には、復旧判断処理部２３２は、予め定められた所定の復旧判定時間（例えば、１０秒間）を超える時間押されていないままの状態（オフ状態）であるときに、オン故障から復旧したものと判断する。このように復旧する可能性があるのは、上述したように、長期間の戸閉押釦８６ｂの使用により、押釦を押した際にひっかかって戻らない状態となってオン故障となった場合であっても、その後に乗客４が戸閉押釦８６ｂを押すことによってひっかかりがなくなりオン故障から復旧することがあるためである。
【００３７】
無効解除処理部２３４は、戸閉押釦８６ｂがオン故障から復旧していると判断されたときに、手動戸開閉処理部２２６の手動戸閉機能の無効を解除する機能を有する。
【００３８】
無効設定情報送信処理部２３６は、無効処理部２３０によって、手動戸開閉処理部２２６の手動戸閉機能を無効としたことをネットワーク２６を介して監視センタ２８に通知するための情報を送信する機能を有する。具体的には、監視センタ２８において、保守作業員が手動戸開閉処理部２２６の手動戸閉機能を無効としたことを容易に把握できるようにするために「○○ビルのエレベータシステムにおいて、△号機の乗りかご扉の手動戸閉機能を無効としました」といったメッセージを送信する。
【００３９】
無効解除情報送信処理部２３８は、無効解除処理部２３４によって、手動戸開閉処理部２２６の手動戸閉機能の無効を解除としたことをネットワーク２６を介して監視センタ２８に通知するための情報を送信する機能を有する。具体的には、監視センタ２８において保守作業員が手動戸開閉処理部２２６の手動戸閉機能の無効を解除としたことを容易に把握できるようにするために「○○ビルのエレベータシステムにおいて、△号機の乗りかご扉の手動戸閉機能の無効を解除しました」といったメッセージを送信する。
【００４０】
上記構成のエレベータシステム１０の動作について図１〜図３を用いて説明する。図３は、エレベータシステム１０において、戸閉押釦８６ｂがオン故障した際に、乗客４が乗りかご２に乗降する際に乗りかご扉６に挟まれないようにする手順を示すフローチャートである。エレベータ制御部２２において、図示しない記憶部に記録されている挟まれ防止制御プログラムが実行されると、まず、戸閉押釦８６ｂがオン故障であるか否かを判断する（Ｓ１０）。この工程は、エレベータ制御部２２の故障判断処理部２２８の機能によって実行される。戸閉押釦８６ｂがオン故障でないと判断されると再びＳ１０へと戻る。
【００４１】
Ｓ１０において、戸閉押釦８６ｂがオン故障であると判断されると、手動戸開閉処理部２２６の手動戸閉機能を無効とする（Ｓ１２）。この工程は、エレベータ制御部２２の無効処理部２３０の機能によって実行される。このように、手動戸開閉処理部２２６の手動戸閉機能を無効とすることで、戸閉押釦８６ｂのオン故障によって乗りかご扉６の閉動作が促進されることがないため、乗りかご２が着床した際に乗りかご扉６が一旦開いた後にすぐに閉じられることはない。これにより、戸閉押釦８６ｂがオン故障であっても、乗客４が乗りかご２に乗降する際に乗りかご扉６に挟まれることを防止することができる。
【００４２】
Ｓ１２の次工程として、手動戸開閉処理部２２６の手動戸閉機能を無効とした無効設定情報をネットワーク２６を介して監視センタ２８に送信する（Ｓ１４）。この工程は、エレベータ制御部２２の無効設定情報送信処理部２３６の機能によって実行される。このように、無効設定情報、例えば「○○ビルのエレベータシステムにおいて、△号機の乗りかご扉の手動戸閉機能を無効としました」といった情報を送信することにより、監視センタ２８において保守作業員の保守作業スケジュールを立てるときの有効な情報とすることができる。
【００４３】
次に、戸閉押釦８６ｂがオン故障から復旧しているか否かを判断する（Ｓ１６）。この工程は、エレベータ制御部２２の復旧判断処理部２３２の機能によって実行される。戸閉押釦８６ｂがオン故障から復旧していないと判断すると再びＳ１６へと戻る。
【００４４】
Ｓ１６において、戸閉押釦８６ｂがオン故障から復旧していると判断すると、手動戸開閉処理部２２６の手動戸閉機能の無効を解除する（Ｓ１８）。この工程は、エレベータ制御部２２の無効解除処理部２３４の機能によって実行される。これにより、戸閉押釦８６ｂがオン故障から復旧しているにもかかわらずに、乗客４が戸閉押釦８６ｂを用いて手動によって乗りかご扉６の閉制御をできないという不便が解消する。
【００４５】
Ｓ１８の次工程として、手動戸開閉処理部２２６の手動戸閉機能の無効を解除した無効解除情報をネットワーク２６を介して監視センタ２８に送信する（Ｓ２０）。この工程は、エレベータ制御部２２の無効解除情報送信処理部２３８の機能によって実行される。このように、無効解除情報、例えば「○○ビルのエレベータシステムにおいて、△号機の乗りかご扉の手動戸閉機能の無効を解除しました」といった情報を送信することにより、保守作業員がわざわざ現場に行くことなく、乗りかご扉６の開閉動作を通常の状態（戸閉押釦８６ｂがオン故障となっていない状態）へと復旧させることができるため、作業効率の向上となる。Ｓ２０の後は、リターン処理へと進む。
【００４６】
このように、エレベータシステム１０の構成によれば、戸閉押釦８６ｂがオン故障しているときであっても、乗客４が乗りかご２に乗降する際に乗りかご扉６に挟まれないようにすることができる。
【００４７】
次に、本発明に係る実施の形態の第２実施例であるエレベータシステム１１について説明する。エレベータシステム１１とエレベータシステム１０の相違は、エレベータ制御部２３（エレベータシステム１０のエレベータ制御部２２に対応）だけであるため、その相違点を中心に説明する。
【００４８】
エレベータ制御部２３は、エレベータシステム１１全般を制御する機能を有する。図４は、エレベータ制御部２３の各構成図と、エレベータ制御部２３がネットワーク２６を介して監視センタ２８に接続されている様子を示す図である。エレベータ制御部２３は、昇降処理部２２２と、自動戸開閉処理部２２４と、手動戸開閉処理部２２６と、故障判断処理部２２８と、速度抑制処理部２３１と、復旧判断処理部２３２と、速度抑制解除処理部２３５と、速度抑制情報送信処理部２３７と、速度抑制解除情報送信処理部２３９とを含んで構成される。なお、昇降処理部２２２と、自動戸開閉処理部２２４と、手動戸開閉処理部２２６と、故障判断処理部２２８と、復旧判断処理部２３２はエレベータシステム１０のエレベータ制御部２２の各機能と同一のものであるため詳細な説明は省略する。
【００４９】
速度抑制処理部２３１は、故障判断処理部２２８によって戸閉押釦８６ｂがオン故障であると判断されたときに、手動戸開閉処理部２２６の２つの機能のうち、手動戸閉機能の変更を行う。具体的には、速度抑制処理部２３１は、手動戸閉機能によって乗りかご扉６が閉じられる通常の速度（閉動作速度）を、例えば、通常速度の５０％程度の速度に抑制する。なお、速度抑制処理部２３１による速度抑制は通常速度の５０％に限定されることはなく、戸閉押釦８６ｂがオン故障が原因で、乗りかご２が着床して乗りかご扉６が一旦開いた後にすぐに乗りかご扉６が閉まった場合であっても乗客４が乗りかご扉６に挟まれない程度にゆっくりとした速度にまで抑制すればよい。
【００５０】
速度抑制解除処理部２３５は、戸閉押釦８６ｂがオン故障から復旧していると判断されたときに、乗りかご扉６の閉動作速度の抑制を解除する機能を有する。
【００５１】
速度抑制情報送信処理部２３７は、速度抑制処理部２３１によって、手動戸開閉処理部２２６の手動戸閉機能のうち乗りかご扉６の閉動作速度を抑制したことをネットワーク２６を介して監視センタ２８に通知するための情報を送信する機能を有する。具体的には、監視センタ２８において保守作業員が乗りかご扉６の閉動作速度の抑制としたことを容易に把握できるようにするために「○○ビルのエレベータシステムにおいて、△号機の乗りかご扉の手動戸閉機能のうち、乗りかご扉の閉動作速度を抑制しました」といったメッセージを送信する。
【００５２】
速度抑制解除情報送信処理部２３９は、速度抑制解除処理部２３５によって、手動戸開閉処理部２２６の手動戸閉機能のうち乗りかご扉６の閉動作速度の抑制を解除したことをネットワーク２６を介して監視センタ２８に通知するための情報を送信する機能を有する。具体的には、監視センタ２８において保守作業員が乗りかご扉６の閉動作速度の抑制としたことを容易に把握できるようにするために「○○ビルのエレベータシステムにおいて、△号機の乗りかご扉の手動戸閉機能のうち、乗りかご扉の閉動作速度の抑制を解除しました」といったメッセージを送信する。
【００５３】
上記構成のエレベータシステム１１の動作について図４，５を用いて説明する。図５は、エレベータシステム１１において、戸閉押釦８６ｂがオン故障した際に、乗客４が乗りかご２に乗降する際に乗りかご扉６に挟まれないようにする手順を示すフローチャートである。エレベータ制御部２３において、図示しない記憶部に記録されている挟まれ防止制御プログラムが実行されると、まず、戸閉押釦８６ｂがオン故障状態であるか否かを判断する（Ｓ３０）。この工程は、エレベータ制御部２３の故障判断処理部２２８の機能によって実行される。戸閉押釦８６ｂがオン故障状態でないと判断されると再びＳ３０へと戻る。
【００５４】
Ｓ３０において、戸閉押釦８６ｂがオン故障状態であると判断されると、手動戸開閉処理部２２６の手動戸閉機能のうち乗りかご扉６の閉動作速度を通常速度の５０％に抑制する（Ｓ３２）。この工程は、エレベータ制御部２３の速度抑制処理部２３１の機能によって実行される。このように、乗りかご扉６の閉動作速度を通常速度の５０％に抑制することで、乗りかご２が着床した際に乗りかご扉６が一旦開いた後にゆっくりと乗りかご扉６が閉じられることとなる。これにより、戸閉押釦８６ｂがオン故障であっても、乗客４が乗りかご２に乗降する際に乗りかご扉６に挟まれることを防止することができる。
【００５５】
Ｓ３２の次工程として、乗りかご扉６の閉動作速度を通常速度の５０％に抑制した速度抑制情報をネットワーク２６を介して監視センタ２８に送信する（Ｓ３４）。この工程は、エレベータ制御部２３の速度抑制情報送信処理部２３７の機能によって実行される。このように、速度抑制情報、例えば「○○ビルのエレベータシステムにおいて、△号機の乗りかご扉の手動戸閉機能のうち、乗りかご扉の閉動作速度を抑制しました」といった情報を送信することにより、監視センタ２８において保守作業員の保守作業スケジュールを立てるときの有効な情報とすることができる。
【００５６】
次に、戸閉押釦８６ｂがオン故障から復旧しているか否かを判断する（Ｓ３６）。この工程は、エレベータ制御部２３の復旧判断処理部２３２の機能によって実行される。戸閉押釦８６ｂがオン故障から復旧していないと判断すると再びＳ３６へと戻る。
【００５７】
Ｓ３６において、戸閉押釦８６ｂがオン故障から復旧していると判断すると、乗りかご扉６の閉動作速度を通常速度の５０％に抑制する速度抑制を解除する（Ｓ３８）。この工程は、エレベータ制御部２３の速度抑制解除処理部２３５の機能によって実行される。これにより、戸閉押釦８６ｂがオン故障状態から復旧しているにもかかわらずに、乗客４が戸閉押釦８６ｂを用いて手動によって乗りかご扉６の閉制御をできないという不便が解消する。
【００５８】
Ｓ３８の次工程として、乗りかご扉６の閉動作速度を通常速度の５０％に抑制する速度抑制を解除した速度抑制解除情報をネットワーク２６を介して監視センタ２８に送信する（Ｓ４０）。この工程は、エレベータ制御部２３の速度抑制解除情報送信処理部２３９の機能によって実行される。このように、速度抑制解除情報、例えば「○○ビルのエレベータシステムにおいて、△号機の乗りかご扉の手動戸閉機能のうち、乗りかご扉の閉動作速度の抑制を解除しました」といった情報を送信することにより、保守作業員がわざわざ現場に行くことなく、乗りかご扉６の開閉動作を通常の状態（戸閉押釦８６ｂがオン故障となっていない状態）へと復旧させることができるため、作業効率の向上となる。Ｓ４０の後は、リターン処理へと進む。
【００５９】
このように、エレベータシステム１１の構成によれば、戸閉押釦８６ｂがオン故障しているときであっても、乗客４が乗りかご２に乗降する際に乗りかご扉６に挟まれないようにすることができる。
【符号の説明】
【００６０】
２  乗りかご、４  乗客、６  乗りかご扉、７  主ロープ、８  乗りかご操作盤、９  昇降路、１０，１１  エレベータシステム、１４  巻上機、１６  カウンタウエイト、２０  機械室、２２，２３  エレベータ制御部、２６  ネットワーク、２８  監視センタ、８３  行先階設定釦部、８３ａ  １階設定押釦、８３ｂ  ２階設定押釦、８３ｃ  ３階設定押釦、８４  表示パネル、８６  開閉操作釦部、８６ａ  戸開押釦、８６ｂ  戸閉押釦、２２２  昇降処理部、２２４  自動戸開閉処理部、２２６  手動戸開閉処理部、２２８  故障判断処理部、２３０  無効処理部、２３１  速度抑制処理部、２３２  復旧判断処理部、２３４  無効解除処理部、２３５  速度抑制解除処理部、２３６  無効設定情報送信処理部、２３７  速度抑制情報送信処理部、２３８  無効解除情報送信処理部、２３９  速度抑制解除情報送信処理部。
【図１】
2011184145.tif 000003
【図２】
2011184145.tif 000004
【図３】
2011184145.tif 000005
【図４】
2011184145.tif 000006
【図５】
2011184145.tif 000007